【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のデバイスが、ワイヤレスネットワークの第１の発見プロシージャに関連するプローブ要求を送信すること、前記プローブ要求は、サービスおよびデバイスの近隣エリアネットワーク（ＮａＮ）クラスタに対応するＮａＮ情報要素を備え、サービスおよびデバイスの前記ＮａＮクラスタは、前記第１の発見プロシージャとは異なる第２の発見プロシージャに関連する、と、
前記第１のデバイスが、ＮａＮ発見情報を受信すること、ここにおいて、前記ＮａＮ発見情報は、ＮａＮクラスタ情報を備え、前記プローブ要求に応じて受信される、と、
サービスおよびデバイスの前記ＮａＮクラスタにおける第２のデバイスに接続する際に使用するための前記ＮａＮ発見情報のサブセットを識別することと
を備える、方法。
【請求項２】
前記プローブ要求を送信することをさらに備え、前記ＮａＮ発見情報を受信することは、前記プローブ要求を受信することに応じたものである、
または、前記ＮａＮ発見情報を受信することは、プローブ応答、ビーコン信号、および発見応答パブリックアクションフレームから成るグループからの少なくとも１つのメッセージにおいて前記ＮａＮ発見情報を受信することを備える、
または、前記ＮａＮ発見情報は、前記第２のデバイスとのワイヤレス接続を確立するための前記第２のデバイスに関する詳細を示す多数の情報要素を備える、
または、前記ＮａＮ発見情報の前記サブセットは、同期ビーコンタイミング、発見タイミング、前記第２のデバイスのアイデンティティから成るグループからの少なくとも１つのパラメータを備える、
請求項１に記載の方法。
【請求項３】
前記プローブ要求は、ＮａＮデバイス以外のワイヤレスネットワークインフラストラクチャのためのアクティブスキャンの一部として送信され、
ＮａＮデバイス以外の前記ワイヤレスネットワークインフラストラクチャは、ピアツーピア（Ｐ２Ｐ）デバイス、ソフトアクセスポイントデバイス、独立基本サービスセット（ＩＢＳＳ）デバイス、メッシュデバイス、および局（ＳＴＡ）デバイスから成るグループからの少なくとも１つのデバイスを備える、
請求項１に記載の方法。
【請求項４】
前記第１のデバイスは、Ｐ２Ｐデバイス、ソフトアクセスポイントデバイス、ＩＢＳＳデバイス、メッシュデバイス、およびＳＴＡデバイスから成るグループからのものであり、前記第１のデバイスは、前記第２と一所に配置される、
または、前記ＮａＮ発見情報を受信することは、前記ワイヤレス通信ネットワークの前記第２のデバイスおよび第３のデバイスから成るグループからの少なくとも１つのデバイスから前記ＮａＮ発見情報を受信することを備える、
請求項１に記載の方法。
【請求項５】
ワイヤレス通信のための第１のデバイスであって、
ワイヤレスネットワークの第１の発見プロシージャに関連するプローブ要求を送信する送信機、前記プローブ要求は、サービスおよびデバイスの近隣エリアネットワーク（ＮａＮ）クラスタに対応するＮａＮ情報要素を備え、サービスおよびデバイスの前記ＮａＮクラスタは、前記第１の発見プロシージャとは異なる第２の発見プロシージャに関連する、と、
ＮａＮ発見情報を受信する受信機、ここにおいて、前記ＮａＮ発見情報は、ＮａＮクラスタ情報を備え、前記プローブ要求に応じて受信される、と、
サービスおよびデバイスの前記ＮａＮクラスタにおける第２のデバイスに接続する際に使用するための前記ＮａＮ発見情報のサブセットを識別するプロセッサと
を備える、第１のデバイス。
【請求項６】
前記プローブ要求を送信する送信機をさらに備え、前記受信機は、前記プローブ要求を受信することに応じて前記ＮａＮ発見情報を受信する、
または、前記ＮａＮ発見情報を受信することは、プローブ応答、ビーコン信号、および発見応答パブリックアクションフレームから成るグループからの少なくとも１つのメッセージにおいて前記ＮａＮ発見情報を受信することを備える、
または、前記ＮａＮ発見情報は、前記第１のデバイスと前記第２のデバイスとの間のワイヤレス接続を確立するための前記第２のデバイスに関する詳細を示す多数の情報要素を備える、
または、前記プローブ要求は、ＮａＮデバイス以外のワイヤレスネットワークインフラストラクチャのためのアクティブスキャンの一部として送信される、
請求項５に記載の第１のデバイス。
【請求項７】
ワイヤレス通信のための方法であって、
第２のデバイスで第１のデバイスからプローブ要求を受信すること、ここにおいて、前記プローブ要求は、ワイヤレスネットワークの第１の発見プロシージャに関連し、前記プローブ要求は、サービスおよびデバイスの近隣エリアネットワーク（ＮａＮ）クラスタに対応するＮａＮ情報要素を備え、サービスおよびデバイスの前記ＮａＮクラスタは、前記第１の発見プロシージャとは異なる第２の発見プロシージャに関連する、と、
ＮａＮ発見情報が前記プローブ要求に応じて送信されるかどうかを決定すること、ここにおいて、前記ＮａＮ発見情報は、ＮａＮクラスタ情報を備える、と、
前記決定に応じて前記ＮａＮ発見情報を送信することと
を備える、方法。
【請求項８】
前記ＮａＮ発見情報を送信することは、前記プローブ要求を受信することに応じたものである、
請求項７に記載の方法。
【請求項９】
前記ＮａＮ発見情報が送信されるかどうかを決定することは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
を備える、請求項７に記載の方法。
【請求項１０】
前記ＮａＮ発見情報が送信されるかどうかを決定することは、
ＮａＮ発見情報が送信された後の経過時間を決定することと、
前記経過時間がしきい値経過時間期間を超えるとき、前記ＮａＮ発見情報が送信されると決定することと
を備える、請求項７に記載の方法。
【請求項１１】
前記ＮａＮ発見情報は、プローブ応答、ビーコン信号、および発見応答パブリックアクションフレームから成るグループからの少なくとも１つのメッセージにおいて送信される、
または、前記ＮａＮ発見情報は、ワイヤレス接続を確立するための前記第２のデバイスに関する詳細を示す多数の情報要素を備える、
または、前記ＮａＮ発見情報が送信されるかどうかを決定することは、
別のＮａＮデバイスが前記プローブ要求に応じてＮａＮ発見情報を送信したとき、前記ＮａＮ発見情報を送信することがスキップされると決定することを備える、
請求項７に記載の方法。
【請求項１２】
ワイヤレス通信のための第２のデバイスであって、
第１のデバイスからプローブ要求を受信する受信機、ここにおいて、前記プローブ要求は、ワイヤレスネットワークの第１の発見プロシージャに関連し、前記プローブ要求は、サービスおよびデバイスの近隣エリアネットワーク（ＮａＮ）クラスタに対応するＮａＮ情報要素を備え、サービスおよびデバイスの前記ＮａＮクラスタは、前記第１の発見プロシージャとは異なる第２の発見プロシージャに関連する、と、
ＮａＮ発見情報が前記プローブ要求に応じて送信されるかどうかを決定するプロセッサと、ここにおいて、前記ＮａＮ発見情報は、ＮａＮクラスタ情報を備え、
前記決定に応じて前記ＮａＮ発見情報を送信する送信機と
を備える、第２のデバイス。
【請求項１３】
前記送信機は、前記プローブ要求を受信することに応じて前記ＮａＮ発見情報を送信する、
または、前記ＮａＮ発見情報は、ＮａＮデバイス情報をさらに備える、
請求項１２に記載の第２のデバイス。
【請求項１４】
前記プロセッサは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
をさらに行う、請求項１２に記載の第２のデバイス。
【請求項１５】
前記プロセッサは、
ＮａＮ発見情報が送信された後の経過時間を決定することと、
前記経過時間がしきい値経過時間期間を超えるとき、前記ＮａＮ発見情報が送信されると決定することと
をさらに行う、請求項１２に記載の第２のデバイス。
【手続補正２】
【補正対象書類名】明細書
【補正対象項目名】０１０２
【補正方法】変更
【補正の内容】
【０１０２】
[0112]本開示の先の説明は、当業者が本開示を製造または使用することを可能にするように提供される。本開示に対する様々な変更は、当業者に容易に理解され、本明細書で定義された一般的な原理は、本開示の精神または範囲から逸脱せずに、他の変形に適用され得る。本開示全体にわたって、用語「例」または「例示的」は、例または事例を示すものであり、言及された例についてのいかなる選好を暗に示すものでも必要とするものでもない。したがって、本開示は、本明細書に記述された例および設計に制限されることを意図せず、本明細書に開示された原理および新規な特徴と一致する最も広い範囲が認められるべきである。
以下に本願の出願当初の特許請求の範囲に記載された発明を付記する。
［Ｃ１］
ワイヤレス通信のための方法であって、
近隣エリアネットワーク（ＮａＮ）発見情報を受信すること、ここにおいて、前記ＮａＮ発見情報は、求められていないビーコン、またはプローブ要求に応じて受信される、と、
ワイヤレス通信ネットワークにおけるＮａＮデバイスに接続する際に使用するための前記ＮａＮ発見情報のサブセットを識別することと
を備える、方法。
［Ｃ２］
前記プローブ要求を送信することをさらに備え、前記ＮａＮ発見情報を受信することは、前記プローブ要求を受信することに応じたものである、
Ｃ１に記載の方法。
［Ｃ３］
前記プローブ要求は、ＮａＮ発見要素を備える、
Ｃ１に記載の方法。
［Ｃ４］
前記ＮａＮ発見情報を受信することは、プローブ応答、ビーコン信号、および発見応答パブリックアクションフレームから成るグループのうちの少なくとも１つにおいて前記ＮａＮ発見情報を受信することを備える、
Ｃ１に記載の方法。
［Ｃ５］
前記ＮａＮ発見情報は、ＮａＮクラスタ情報およびＮａＮデバイス情報から成るグループのうちの少なくとも１つを備える、
Ｃ１に記載の方法。
［Ｃ６］
前記ＮａＮ発見情報の前記サブセットを識別することは、同期ビーコンタイミング、発見タイミング、および前記ＮａＮデバイスから成るグループのうちの少なくとも１つを決定することを備え、前記ＮａＮ発見情報の前記サブセットは、前記ＮａＮクラスタ情報に少なくとも部分的に基づいて識別される、
Ｃ５に記載の方法。
［Ｃ７］
前記プローブ要求は、ＮａＮデバイス以外のワイヤレスネットワークインフラストラクチャのためのアクティブスキャンの一部として送信される、
Ｃ１に記載の方法。
［Ｃ８］
ＮａＮデバイス以外の前記ワイヤレスネットワークインフラストラクチャは、ピアツーピア（Ｐ２Ｐ）デバイス、ソフトアクセスポイントデバイス、独立基本サービスセット（ＩＢＳＳ）デバイス、メッシュデバイス、および局（ＳＴＡ）デバイスから成るグループのうちの少なくとも１つを備える、
Ｃ７に記載の方法。
［Ｃ９］
前記プローブ要求は、前記Ｐ２Ｐデバイス、前記ソフトアクセスポイントデバイス、前記ＩＢＳＳデバイス、前記メッシュデバイス、および前記ＳＴＡデバイスから成るグループの前記デバイスのうちの１つによって送られ、
前記プローブ要求を送るデバイスは、前記ＮａＮデバイスと一所に配置され、
前記プローブ要求は、ＮＡＮ発見情報をさらに備える、
Ｃ８に記載の方法。
［Ｃ１０］
前記ＮａＮ発見情報を受信することは、前記ＮａＮデバイスおよび前記ワイヤレス通信ネットワークの別のネットワーク要素から成るグループのうちの少なくとも１つから前記ＮａＮ発見情報を受信することを備える、
Ｃ１に記載の方法。
［Ｃ１１］
ワイヤレス通信のための装置であって、
近隣エリアネットワーク（ＮａＮ）発見情報を受信する受信機、ここにおいて、前記ＮａＮ発見情報は、求められていないビーコン、またはプローブ要求に応じて受信される、と、
ワイヤレス通信ネットワークにおけるＮａＮデバイスに接続する際に使用するための前記ＮａＮ発見情報のサブセットを識別するプロセッサと
を備える、装置。
［Ｃ１２］
プローブ要求を送信する送信機をさらに備え、前記受信機は、前記プローブ要求を受信することに応じて前記ＮａＮ発見情報を受信する、
Ｃ１１に記載の装置。
［Ｃ１３］
前記プローブ要求は、ＮａＮ発見要素を備える、
Ｃ１１に記載の装置。
［Ｃ１４］
前記ＮａＮ発見情報を受信することは、プローブ応答、ビーコン信号、および発見応答パブリックアクションフレームから成るグループのうちの少なくとも１つにおいて前記ＮａＮ発見情報を受信することを備える、
Ｃ１１に記載の装置。
［Ｃ１５］
前記ＮａＮ発見情報は、ＮａＮクラスタ情報およびＮａＮデバイス情報から成るグループのうちの少なくとも１つを備える、
Ｃ１１に記載の装置。
［Ｃ１６］
前記プローブ要求は、ＮａＮデバイス以外のワイヤレスネットワークインフラストラクチャのためのアクティブスキャンの一部として送信される、
Ｃ１１に記載の装置。
［Ｃ１７］
ワイヤレス通信ネットワークにおける近隣エリアネットワーク（ＮａＮ）デバイスでの、ワイヤレス通信のための方法であって、
ＮａＮ発見情報がプローブ要求に対して応じて送信されるかどうかを決定することと、
前記決定に応じて前記ＮａＮ発見情報を送信することと
を備える、方法。
［Ｃ１８］
局からプローブ要求を受信することをさらに備え、前記ＮａＮ発見情報を送信することは、前記プローブ要求を受信することに応じたものである、
Ｃ１７に記載の方法。
［Ｃ１９］
前記ＮａＮ発見情報が送信されるかどうかを決定することは、
前記プローブ要求がＮａＮ発見要素を含むかどうかを決定することを備える、
Ｃ１７に記載の方法。
［Ｃ２０］
前記ＮａＮ発見情報が送信されるかどうかを決定することは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
を備える、Ｃ１７に記載の方法。
［Ｃ２１］
前記ＮａＮ発見情報が送信されるかどうかを決定することは、
ＮａＮ発見情報が送信された後の経過時間を決定することと、
前記経過時間がしきい値経過時間期間を超えるとき、前記ＮａＮ発見情報が送信されると決定することと
を備える、Ｃ１７に記載の方法。
［Ｃ２２］
前記ＮａＮ発見情報は、プローブ応答、ビーコン信号、および発見応答パブリックアクションフレームから成るグループの少なくとも１つにおいて送信される、
Ｃ１７に記載の方法。
［Ｃ２３］
前記ＮａＮ発見情報は、ＮａＮクラスタ情報およびＮａＮデバイス情報から成るグループのうちの少なくとも１つを備える、
Ｃ１７に記載の方法。
［Ｃ２４］
前記ＮａＮ発見情報が送信されるかどうかを決定することは、
別のＮａＮデバイスが前記プローブ要求に応じてＮａＮ発見情報を送信した場合、前記ＮａＮ発見情報を送信することがスキップされると決定することを備える、
Ｃ１７に記載の方法。
［Ｃ２５］
ワイヤレス通信ネットワークにおける近隣エリアネットワーク（ＮａＮ）デバイスでの、ワイヤレス通信のための装置であって、
ＮａＮ発見情報がプローブ要求に対して応じて送信されるかどうかを決定するプロセッサと、
前記決定に応じて前記ＮａＮ発見情報を送信する送信機と
を備える、装置。
［Ｃ２６］
局からプローブ要求を受信する受信機をさらに備え、前記送信機は、前記プローブ要求を受信することに応じて前記ＮａＮ発見情報を送信する、
Ｃ２５に記載の装置。
［Ｃ２７］
前記プロセッサは、前記プローブ要求がＮａＮ発見要素を含むかどうかを決定することをさらに行う、
Ｃ２５に記載の装置。
［Ｃ２８］
前記プロセッサは、
ＮａＮ発見情報を備えるビーコン信号の次のスケジュールされた送信がいつ生じるかを決定することと、
前記次のスケジュールされた送信までの時間がしきい値時間期間を超えるとき、前記ＮａＮ発見情報が送信されると決定することと
をさらに行う、Ｃ２５に記載の装置。
［Ｃ２９］
前記プロセッサは、
ＮａＮ発見情報が送信された以後の経過時間を決定することと、
前記経過時間がしきい値経過時間期間を超える場合、前記ＮａＮ発見情報が送信されると決定することと
をさらに行う、Ｃ２５に記載の装置。
［Ｃ３０］
前記ＮａＮ発見情報は、プローブ応答、ビーコン信号、および発見応答パブリックアクションフレームから成るグループの少なくとも１つにおいて送信される、
Ｃ２５に記載の装置。